(57)【特許請求の範囲】
【請求項１】
基地局（ＢＳ）と前記ＢＳの制御下の１または複数の遠隔ラジオ・ヘッド（ＲＲＨ）とを備える論理セル内の無線通信のための方法であって、
ユーザ機器（ＵＥ）からチャネル状態情報（ＣＳＩ）フィードバックを受信することと、
前記ＣＳＩフィードバックに基づいて、前記ＵＥに基準信号（ＲＳ）を送信するための１または複数のアンテナ・ポートを選択することと、ここで、前記１または複数のアンテナ・ポートは、前記ＢＳのアンテナ・ポート、および／または、前記ＢＳの制御下の前記ＲＲＨのアンテナ・ポートであり、前記選択された１または複数のアンテナ・ポートのうちの少なくとも１つは、前記ＢＳおよび前記１または複数のＲＲＨの第１のセットによって使用される、
前記論理セル内の前記ＵＥの移動または前記論理セル内の前記ＵＥの位置の変化に少なくとも部分的に基づいて、前記１または複数のアンテナ・ポートの選択を更新すべきか否かを判定することと、
前記１または複数のアンテナ・ポートの更新された選択に基づいて前記ＲＳを測定するために前記論理セル内の前記ＵＥを再設定することとを備え、ここで、前記１または複数のアンテナ・ポートの前記更新された選択のうちの少なくとも１つは、前記ＢＳおよび前記１または複数のＲＲＨの第２のセットによって使用され、前記１または複数のＲＲＨの前記第１のセットは、前記１または複数のＲＲＨの前記第２のセットとは異なる、方法。
【請求項２】
前記１または複数のアンテナ・ポートの選択を更新すべきか否か判定することは、前記ＲＲＨおよび前記ＢＳの１または複数に対する前記ＵＥの接近度に基づいてなされる、請求項１に記載の方法。
【請求項３】
前記ＵＥの位置は、前記ＵＥから送信されたサウンディング基準信号（ＳＲＳ）に基づいて決定される、請求項１に記載の方法。
【請求項４】
前記１または複数のアンテナ・ポートの選択を更新すべきか否か判定することは、異なるＲＲＨにおいて受信されたＳＲＳの品質またはＣＳＩフィードバックに少なくとも部分的に基づいてなされる、請求項３に記載の方法。
【請求項５】
前記ＵＥの位置は、前記ＵＥの全地球測位システム（ＧＰＳ）座標に基づいて決定される、請求項１に記載の方法。
【請求項６】
前記１または複数のアンテナ・ポートの選択を更新すべきか否か判定することは、前記送信されたＲＳから受信された測定値に基づいてなされる、請求項１に記載の方法。
【請求項７】
前記ＣＳＩフィードバックは、チャネル品質インジケータ（ＣＱＩ）フィードバックを備える、請求項１に記載の方法。
【請求項８】
前記ＲＳは、少なくとも、セル特有ＲＳ（ＣＲＳ）またはＣＳＩ−ＲＳである、請求項１に記載の方法。
【請求項９】
基地局（ＢＳ）と前記ＢＳの制御下の１または複数の遠隔ラジオ・ヘッド（ＲＲＨ）とを備える論理セル内の無線通信のための装置であって、前記装置は、
少なくとも１つのプロセッサと、ここで、前記少なくとも１つのプロセッサは、
ユーザ機器（ＵＥ）からチャネル状態情報（ＣＳＩ）フィードバックを受信し、
前記ＣＳＩフィードバックに基づいて、前記ＵＥに基準信号（ＲＳ）を送信するための１または複数のアンテナ・ポートを選択し、ここで、前記１または複数のアンテナ・ポートは、前記ＢＳのアンテナ・ポート、および／または、前記ＢＳの制御下の前記ＲＲＨのアンテナ・ポートであり、前記選択された１または複数のアンテナポートのうちの少なくとも１つは、前記ＢＳおよび前記１または複数のＲＲＨの第１のセットによって使用され、
前記論理セル内の前記ＵＥの移動または前記論理セル内の前記ＵＥの位置の変化に少なくとも部分的に基づいて、前記１または複数のアンテナ・ポートの選択を更新すべきか否かを判定し、
前記１または複数のアンテナ・ポートの更新された選択に基づいて前記ＲＳを測定するために前記論理セル内の前記ＵＥを再設定するように構成され、ここで、前記１または複数のアンテナ・ポートの前記更新された選択のうちの少なくとも１つは、前記ＢＳおよび前記１または複数のＲＲＨの第２のセットによって使用され、前記１または複数のＲＲＨの前記第１のセットは、前記１または複数のＲＲＨの前記第２のセットとは異なる、
前記少なくとも１つのプロセッサに結合されたメモリとを備える装置。
【請求項１０】
前記少なくとも１つのプロセッサは、前記ＲＲＨおよび前記ＢＳの１または複数に対する前記ＵＥの接近度に基づいて、前記１または複数のアンテナ・ポートの選択を更新すべきか否かを判定するように構成された、請求項９に記載の装置。
【請求項１１】
前記ＵＥの位置は、前記ＵＥから送信されたサウンディング基準信号（ＳＲＳ）に基づいて決定される、請求項９に記載の装置。
【請求項１２】
前記少なくとも１つのプロセッサは、異なるＲＲＨにおいて受信されたＳＲＳの品質またはＣＳＩフィードバックに少なくとも部分的に基づいて、前記１または複数のアンテナ・ポートの選択を更新すべきか否かを判定するように構成された、請求項１１に記載の装置。
【請求項１３】
前記ＵＥの位置は、前記ＵＥの全地球測位システム（ＧＰＳ）座標に基づいて決定される、請求項９に記載の装置。
【請求項１４】
前記少なくとも１つのプロセッサは、前記送信されたＲＳから受信された測定値に基づいて、前記１または複数のアンテナ・ポートの選択を更新すべきか否かを判定するように構成された、請求項９に記載の装置。
【請求項１５】
前記ＣＳＩフィードバックは、チャネル品質インジケータ（ＣＱＩ）フィードバックを備える、請求項９に記載の装置。
【請求項１６】
前記ＲＳは、少なくとも、セル特有ＲＳ（ＣＲＳ）またはＣＳＩ−ＲＳである、請求項９に記載の装置。
【請求項１７】
基地局（ＢＳ）と前記ＢＳの制御下の１または複数の遠隔ラジオ・ヘッド（ＲＲＨ）とを備える論理セル内の無線通信のための装置であって、前記装置は、
ユーザ機器（ＵＥ）からチャネル状態情報（ＣＳＩ）フィードバックを受信する手段と、
前記ＣＳＩフィードバックに基づいて、前記ＵＥに基準信号（ＲＳ）を送信するための１または複数のアンテナ・ポートを選択する手段と、ここで、前記１または複数のアンテナ・ポートは、前記ＢＳのアンテナ・ポート、および／または、前記ＢＳの制御下の前記ＲＲＨのアンテナ・ポートであり、前記選択された１または複数のアンテナ・ポートのうちの少なくとも１つは、前記ＢＳおよび前記１または複数のＲＲＨの第１のセットによって使用される、
前記論理セル内の前記ＵＥの移動または前記論理セル内の前記ＵＥの位置の変化に少なくとも部分的に基づいて、前記１または複数のアンテナ・ポートの選択を更新すべきか否かを判定する手段と、
前記１または複数のアンテナ・ポートの更新された選択に基づいて前記ＲＳを測定するために前記論理セル内の前記ＵＥを再設定する手段とを備え、ここで、前記１または複数のアンテナ・ポートの前記更新された選択のうちの少なくとも１つは、前記ＢＳおよび前記１または複数のＲＲＨの第２のセットによって使用され、前記１または複数のＲＲＨの前記第１のセットは、前記１または複数のＲＲＨの前記第２のセットとは異なる、装置。
【請求項１８】
前記１または複数のアンテナ・ポートの選択を更新すべきか否かを判定する手段は、前記ＲＲＨおよび前記ＢＳの１または複数に対する前記ＵＥの接近度に基づいてなされる、請求項１７に記載の装置。
【請求項１９】
前記ＵＥの位置は、前記ＵＥから送信されたサウンディング基準信号（ＳＲＳ）に基づいて決定される、請求項１７に記載の装置。
【請求項２０】
前記１または複数のアンテナ・ポートの選択を更新すべきか否かを判定する手段は、異なるＲＲＨにおいて受信されたＳＲＳの品質またはＣＳＩフィードバックに少なくとも部分的に基づいてなされる、請求項１９に記載の装置。
【請求項２１】
前記ＵＥの位置は、前記ＵＥの全地球測位システム（ＧＰＳ）座標に基づいて決定される、請求項１７に記載の装置。
【請求項２２】
前記１または複数のアンテナ・ポートの選択を更新すべきか否かを判定する手段は、前記送信されたＲＳから受信された測定値に基づいてなされる、請求項１７に記載の装置。
【請求項２３】
前記ＣＳＩフィードバックは、チャネル品質インジケータ（ＣＱＩ）フィードバックを備える、請求項１７に記載の装置。
【請求項２４】
前記ＲＳは、少なくとも、セル特有ＲＳ（ＣＲＳ）またはＣＳＩ−ＲＳである、請求項１７に記載の装置。
【請求項２５】
基地局（ＢＳ）と前記ＢＳの制御下の１または複数の遠隔ラジオ・ヘッド（ＲＲＨ）とを備える論理セル内の無線通信のためのコンピュータ読取可能記憶媒体であって、前記コンピュータ読取可能記憶媒体は、命令群を記憶し、
前記命令群は、１または複数のプロセッサによって実行可能であり、前記命令群は、
ユーザ機器（ＵＥ）からチャネル状態情報（ＣＳＩ）フィードバックを受信するための命令群と、
前記ＣＳＩフィードバックに基づいて、前記ＵＥに基準信号（ＲＳ）を送信するための１または複数のアンテナ・ポートを選択するための命令群と、ここで、前記１または複数のアンテナ・ポートは、前記ＢＳのアンテナ・ポート、および／または、前記ＢＳの制御下の前記ＲＲＨのアンテナ・ポートであり、前記選択された１または複数のアンテナ・ポートのうちの少なくとも１つは、前記ＢＳおよび前記１または複数のＲＲＨの第１のセットによって使用される、
前記論理セル内の前記ＵＥの移動または前記論理セル内の前記ＵＥの位置の変化に少なくとも部分的に基づいて、前記１または複数のアンテナ・ポートの選択を更新すべきか否かを判定するための命令群と、
前記１または複数のアンテナ・ポートの更新された選択に基づいて前記ＲＳを測定するために前記論理セル内の前記ＵＥを、前記ＢＳによって再設定するための命令群とを備え、ここで、前記１または複数のアンテナ・ポートの前記更新された選択のうちの少なくとも１つは、前記ＢＳおよび前記１または複数のＲＲＨの第２のセットによって使用され、前記１または複数のＲＲＨの前記第１のセットは、前記１または複数のＲＲＨの前記第２のセットとは異なる、コンピュータ読取可能記憶媒体。
【請求項２６】
前記１または複数のアンテナ・ポートの選択を更新すべきか否かを判定するための命令群は、前記ＲＲＨおよび前記ＢＳの１または複数に対する前記ＵＥの接近度に基づいてなされる、請求項２５に記載のコンピュータ読取可能記憶媒体。
【請求項２７】
前記ＵＥの位置は、前記ＵＥから送信されたサウンディング基準信号（ＳＲＳ）に基づいて決定される、請求項２５に記載のコンピュータ読取可能記憶媒体。
【請求項２８】
前記１または複数のアンテナ・ポートの選択を更新すべきか否かを判定するための命令群は、異なるＲＲＨにおいて受信されたＳＲＳの品質またはＣＳＩフィードバックに少なくとも部分的に基づいてなされる、請求項２７に記載のコンピュータ読取可能記憶媒体。
【請求項２９】
前記ＵＥの位置は、前記ＵＥの全地球測位システム（ＧＰＳ）座標に基づいて決定される、請求項２５に記載のコンピュータ読取可能記憶媒体。
【請求項３０】
前記１または複数のアンテナ・ポートの選択を更新すべきか否かを判定するための命令群は、前記送信されたＲＳから受信された測定値に基づいてなされる、請求項２５に記載のコンピュータ読取可能記憶媒体。
【請求項３１】
前記ＣＳＩフィードバックは、チャネル品質インジケータ（ＣＱＩ）フィードバックを備える、請求項２５に記載のコンピュータ読取可能記憶媒体。
【請求項３２】
前記ＲＳは、少なくとも、セル特有ＲＳ（ＣＲＳ）またはＣＳＩ−ＲＳである、請求項２５に記載のコンピュータ読取可能記憶媒体。
【発明の詳細な説明】
【関連出願に対する相互参照】
【０００１】
本願は、本明細書において参照によってその全体が明確に組み込まれている２０１１年２月１４日出願の米国仮出願６１／４４２，６４１号に対する優先権を主張する。
【技術分野】
【０００２】
本開示のある態様は、一般に無線通信に関し、更に詳しくは、複数の分散された遠隔ラジオ・ヘッド（ＲＲＨ：remote radio head）を用いて、無線ネットワークにおける移動手続をサポートするための技術に関する。
【背景技術】
【０００３】
無線通信システムは、例えば電話技術、ビデオ、データ、メッセージング、およびブロードキャストのようなさまざまな通信サービスを提供するように広く開発された。一般に、無線通信システムは、利用可能なシステム・リソース（例えば、帯域幅、送信電力）を共有することにより、複数のユーザとの通信をサポートすることができる多元接続技術を適用しうる。このような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングル・キャリア周波数分割多元接続（ＳＣ−ＦＤＭＡ）システム、および時分割同時符号分割多元接続（ＴＤ−ＳＣＤＭＡ）システムを含む。
【０００４】
これらの多元接続技術は、異種の無線デバイスが、市レベル、国レベル、地方レベル、あるいは地球レベルでさえも通信することを可能にする共通のプロトコルを提供するために、さまざまな通信規格に採用されている。新興の通信規格の一例は、ロング・ターム・イボリューション（ＬＴＥ）である。ＬＴＥは、第３世代パートナシップ計画（３ＧＰＰ）によって公布されたユニバーサル・モバイル通信システム（ＵＭＴＳ）モバイル規格に対する強化のセットである。これは、スペクトル効率を改善することによってモバイル・ブロードバンド・インターネット・アクセスを良好にサポートし、コストを低減し、サービスを改善し、新たなスペクトルを活用し、ダウンリンク（ＤＬ）においてＯＦＤＭＡを、アップリンク（ＵＬ）においてＳＣ−ＦＤＭＡを、および、複数入力複数出力（ＭＩＭＯ）アンテナ技術を用いて他のオープンな規格と良好に統合するように設計されている。しかしながら、モバイル・ブロードバンド・アクセスに対する需要が増加し続けているので、ＬＴＥ技術におけるさらなる改良の必要性が存在する。好適には、これらの改善は、これらの技術を適用するその他の多元接続技術および通信規格に適用可能であるべきである。
【発明の概要】
【０００５】
本開示のある態様は、無線通信のための方法を提供する。この方法は一般に、ユーザ機器（ＵＥ）からチャネル状態情報（ＣＳＩ）フィードバックを受信することと；このＣＳＩフィードバックに基づいて、基準信号（ＲＳ）を送信するための１または複数のアンテナ・ポートを選択することと、ここで、１または複数のアンテナ・ポートは少なくとも、基地局（ＢＳ）のアンテナ・ポート、または、ＢＳの制御下の遠隔ラジオ・ヘッド（ＲＲＨ：remote radio head）のアンテナ・ポートである；ＵＥの移動または位置の変化に少なくとも部分的に基づいて、１または複数のアンテナ・ポートの選択を更新すべきか否かを判定することと；を含む。
【０００６】
ある態様は、無線通信のための装置を提供する。この装置は一般に、ＵＥからＣＳＩフィードバック受信するためのロジックと；ＣＳＩフィードバックに基づいて、ＲＳを送信するための１または複数のアンテナ・ポートを選択するためのロジックと、ここで、１または複数のアンテナ・ポートは少なくとも、ＢＳのアンテナ・ポート、または、ＢＳの制御下のＲＲＨのアンテナ・ポートである；ＵＥの移動または位置の変化に少なくとも部分的に基づいて、１または複数のアンテナ・ポートの選択を更新すべきか否かを判定するためのロジックと；を含む。
【０００７】
ある態様は、無線通信のための装置を提供する。この装置は一般に、ＵＥからＣＳＩフィードバックを受信する手段と；ＣＳＩフィードバックに基づいて、ＲＳを送信するための１または複数のアンテナ・ポートを選択する手段と、ここで、１または複数のアンテナ・ポートは少なくとも、ＢＳのアンテナ・ポート、または、ＢＳの制御下のＲＲＨのアンテナ・ポートである；ＵＥの移動または位置の変化に少なくとも部分的に基づいて、１または複数のアンテナ・ポートの選択を更新すべきか否かを判定する手段と；を含む。
【０００８】
ある態様は、１または複数のプロセッサによって実行可能な、格納された命令群を有するコンピュータ読取可能媒体を備える、無線通信のためのコンピュータ・プログラム製品を提供する。これら命令群は一般に、ＵＥからＣＳＩフィードバックを受信するための命令群と；ＣＳＩフィードバックに基づいて、ＲＳを送信するための１または複数のアンテナ・ポートを選択するための命令群と、ここで、１または複数のアンテナ・ポートは少なくとも、ＢＳのアンテナ・ポート、または、ＢＳの制御下のＲＲＨのアンテナ・ポートである；ＵＥの移動または位置の変化に少なくとも部分的に基づいて、１または複数のアンテナ・ポートの選択を更新すべきか否かを判定するための命令群と、を含む。
【図面の簡単な説明】
【０００９】
【図１】図１は、本開示のある態様にしたがう処理システムを適用した装置のためのハードウェア実装の例を例示する図解である。
【図２】図２は、本開示のある態様にしたがうネットワーク・アーキテクチャの例を例示する図解である。
【図３】図３は、本開示のある態様にしたがうアクセス・ネットワークの例を例示する図解である。
【図４】図４は、本開示のある態様にしたがって、アクセス・ネットワークにおいて用いるためのフレーム構造の例を例示する図解である。
【図５】図５は、本開示のある態様にしたがうＬＴＥにおけるＵＥのための典型的なフォーマットを示す。
【図６】図６は、本開示のある態様にしたがうユーザおよび制御プレーンのためのラジオ・プロトコル・アーキテクチャの例を例示する図解である。
【図７】図７は、本開示のある態様にしたがう、アクセス・ネットワーク内のイボルブド・ノードＢおよびユーザ機器の例を例示する図解である。
【図８】図８は、本開示のある態様にしたがって、マクロ・ノードと多くの遠隔ラジオ・ヘッド（ＲＲＨ）を有するネットワークを例示する。
【図９】図９は、本開示のある態様にしたがって、ＲＲＨが論理セル内の異なる位置に分散されている２つの論理セルを例示する。
【図１０】図１０は、本開示のある態様にしたがって、１または複数のセル特有基準信号（ＣＲＳ）アンテナ・ポートで送信しているＲＲＨを例示する。
【図１１】図１１は、本開示のある態様にしたがって、マクロｅＮＢにおいて、送信アンテナにおいて形成されたすべてのＣＲＳアンテナ・ポートを例示する。
【図１２】図１２は、本開示のある態様にしたがって、ＲＲＨのためのチャネル状態情報ＲＳ（ＣＳＩ−ＲＳ）構成の例を例示する。
【図１３】図１３は、本開示のある態様にしたがって、セル内および複数のセル間のユーザ機器（ＵＥ）の移動の例を例示する。
【図１４】図１４は、本開示のある態様にしたがって、複数のＲＲＨを有する無線ネットワークにおける移動手続をサポートするための動作の例を例示する。
【図１４Ａ】図１４Ａは、図１４において例示された動作を実行することができる構成要素の例を例示する。
【図１５】図１５は、本開示のある態様にしたがって、多くのＣＳＩ−ＲＳアンテナ・ポートを用いて構成されたＵＥである、論理セル内のＲｅｌ−１１（あるいはそれ以降の）ＵＥの移動の例を例示する。
【発明を実施するための形態】
【００１０】
無線ネットワークは、マクロ・セルの有効通信範囲を拡大するために、遠隔ラジオ・ヘッド（ＲＲＨ）を含みうる。マクロ・セルは、例えば光ファイバによってＲＲＨに接続され、マクロ・セルとＲＲＨとの間には無視できるレイテンシしかない。ユーザ機器（ＵＥ）がマクロ・セル内に移動するか、あるいは、他のマクロ・セル間を移動すると、ＵＥが従う移動手続は、ＵＥのリリース（例えば、Ｒｅｌ−８／９、Ｒｅｌ−１０、またはＲｅｌ−１１およびそれ以降）に基づいて変わりうる。マクロ・セルは、それ自身およびＲＲＨのために、セル内のすべてのスケジューリングを取り扱いうる。
【００１１】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００１２】
通信システムのいくつかの態様が、さまざまな装置および方法に対する参照を用いて表されうる。これらの装置および方法は、さまざまなブロック、モジュール、構成要素、回路、ステップ、処理、アルゴリズム等（集合的に「要素」と称される）によって、後述する詳細説明に記述されており、添付図面に例示される。これらの要素は、電子ハードウェア、コンピュータ・ソフトウェア、またはこれら任意の組み合わせを用いて実現されうる。これらの要素がハードウェアとしてまたはソフトウェアとして実現されるかは、特定のアプリケーションおよびシステム全体に課せられている設計制約に依存する。
【００１３】
例として、要素、要素の任意の部分、または、要素の任意の組み合わせは、１または複数のプロセッサを含む「処理システム」を用いて実現されうる。プロセッサの例は、マイクロプロセッサ、マイクロコントローラ、デジタル信号プロセッサ（ＤＳＰ）、フィールド・プログラマブル・ゲート・アレイ（ＦＰＧＡ）、プログラマブル論理デバイス（ＰＬＤ）、ステート・マシン、ゲート・ロジック、ディスクリート・ハードウェア回路、およびこの開示の全体にわたって記載されたさまざまな機能を実行するように構成されたその他の適切なハードウェアを含んでいる。処理システムにおける１または複数のプロセッサは、ソフトウェアを実行しうる。ソフトウェアは、ソフトウェア、ファームウェア、ミドルウェア、マイクロコード、ハードウェア記述言語、またはその他で称されるに関わらず、命令群、命令群セット、コード、コード・セグメント、プログラム・コード、プログラム、サブプログラム、ソフトウェア・モジュール、アプリケーション、ソフトウェア・アプリケーション、パッケージ・ソフト、ルーチン、サブルーチン、オブジェクト、実行形式、実行スレッド、手順、機能等を意味するように広く解釈されるものとする。ソフトウェアは、コンピュータ読取可能な媒体上に存在しうる。コンピュータ読取可能な媒体は、非一時的なコンピュータ読取可能な媒体でありうる。非一時的なコンピュータ読取可能な媒体は、例によれば、磁気記憶デバイス（例えばハード・ディスク、フロッピー（登録商標）ディスク、磁気ストリップ等）、光ディスク（例えば、コンパクト・ディスク（ＣＤ）、デジタル多用途ディスク（ＤＶＤ）等）、スマート・カード、フラッシュ・メモリ・デバイス（例えば、カード、スティック、キー・ドライブ）、ランダム・アクセス・メモリ（ＲＡＭ）、読取専用メモリ（ＲＯＭ）、プログラマブルＲＯＭ（ＰＲＯＭ）、消去可能ＰＲＯＭ（ＥＰＲＯＭ）、電子的消去可能ＰＲＯＭ（ＥＥＰＲＯＭ）、レジスタ、リムーバブル・ディスク、および、コンピュータによってアクセスされうる命令群および／またはソフトウェアを格納するためのその他任意の適切な媒体を含みうる。コンピュータ読取可能な媒体は、処理システムの内部に存在しうるか、処理システムの外部に存在するか、処理システムを含む複数のエンティティにわたって分散されうる。コンピュータ読取可能な媒体は、コンピュータ・プログラム製品内に組み込まれうる。例によれば、コンピュータ・プログラム製品は、パッケージング・マテリアル内にコンピュータ読取可能な媒体を含みうる。当業者であれば、システム全体に課せられる全体的な設計制約および特定のアプリケーションに依存して、本開示の全体にわたって示されている機能を、どうやって最良に実施するかを認識するだろう。
【００１４】
したがって、１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして符号化されうる。コンピュータ読取可能な媒体は、コンピュータ記憶媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。本明細書で使用されるようにディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、Ｂｌｕ−ｒａｙ（登録商標）ディスク（ｄｉｓｃ）を含む。ここで、ｄｉｓｋは通常、データを磁気的に再生し、ｄｉｓｃは、レーザを用いてデータを光学的に再生する。前述した組み合わせもまた、コンピュータ読取可能な媒体の範囲内に含まれるべきである。
【００１５】
図１は、処理システム１１４を適用する装置１００のためのハードウェア実装の例を例示する概念図である。この例では、処理システム１１４は、一般にバス１０２によって表されているバス・アーキテクチャを用いて実現されうる。バス１０２は、全体的な設計制約および処理システム１１４の特定のアプリケーションに依存して、任意の数の相互接続バスおよびブリッジを含みうる。バス１０２は、一般にプロセッサ１０４によって表される１または複数のプロセッサと、一般にコンピュータ読取可能な媒体１０６によって表されるコンピュータ読取可能な媒体を含むさまざまな回路を共に接続する。バス１０２はさらに、例えば、タイミング・ソース、周辺機器、電圧制御装置、および電力管理回路のようなその他さまざまな回路をリンクしうる。これらは、当該技術分野で良く知られているので、さらなる説明はしない。バス・インタフェース１０８は、バス１０２とトランシーバ１１０との間にインタフェースを提供する。トランシーバ１１０は、送信媒体を介してその他さまざまな装置と通信するための手段を提供する。装置の性質によって、ユーザ・インタフェース１１２（例えば、キーパッド、ディスプレイ、スピーカ、マイクロフォン、ジョイスティック）も提供されうる。
【００１６】
プロセッサ１０４は、バス１０２の管理、および、コンピュータ読取可能な媒体１０６に格納されたソフトウェアの実行を含む一般的な処理を担当する。ソフトウェアは、プロセッサ１０４によって実行された場合、処理システム１１４に対して、特定の装置のために記載されたさまざまな機能を実行させる。コンピュータ読取可能な媒体１０６はまた、ソフトウェアが実行されている場合に、プロセッサ１０４によって操作されるデータを格納するためにも使用されうる。
【００１７】
図２は、さまざまな装置１００（図１参照）を適用するＬＴＥネットワーク・アーキテクチャ２００を例示する図解である。ＬＴＥネットワーク・アーキテクチャ２００は、イボルブド・パケット・システム（ＥＰＳ）２００と称されうる。ＥＰＳ２００は、１または複数のユーザ機器（ＵＥ）２０２、イボルブドＵＭＴＳ地上ラジオ・アクセス・ネットワーク（Ｅ−ＵＴＲＡＮ）２０４、イボルブド・パケット・コア（ＥＰＣ）２１０、ホーム加入者サーバ（ＨＳＳ）２２０、およびオペレータのＩＰサービス２２２を含みうる。ＥＰＳは、その他のアクセス・ネットワークと相互接続しうるが、簡略のために、これらのエンティティ／インタフェースは図示されていない。図示されるように、ＥＰＳは、パケット交換サービスを提供する。しかしながら、当業者であれば容易に認識するであろうが、本開示にわたって示されているさまざまな概念は、回路交換サービスを提供しているネットワークに拡張されうる。
【００１８】
Ｅ−ＵＴＲＡＮは、イボルブド・ノードＢ（ｅＮＢ）２０６およびその他のｅＮＢ２０８を含んでいる。ｅＮＢ２０６は、ＵＥ２０２向けのユーザ・プレーン・プロトコルおよび制御プレーン・プロトコルの終了を提供する。ｅＮＢ２０６は、Ｘ２インタフェース（すなわち、バックホール）を経由して他のｅＮＢ２０８に接続されうる。ｅＮＢ２０６はまた、当業者によって、基地局、基地トランシーバ局、ラジオ基地局、ラジオ・トランシーバ、トランシーバ機能、基本サービス・セット（ＢＳＳ）、拡張サービス・セット（ＥＳＳ）、またはその他いくつかの適切な用語として称されうる。ｅＮＢ２０６は、ＵＥ２０２のために、ＥＰＣ２１０にアクセス・ポイントを提供する。ＵＥ２０２の例は、セルラ電話、スマートフォン、セッション開始プロトコル（ＳＩＰ）電話、ラップトップ、携帯情報端末（ＰＤＡ）、衛星ラジオ、全地球測位システム、マルチメディア・デバイス、ビデオ・デバイス、デジタル・オーディオ・プレーヤ（例えば、ＭＰ３プレーヤ）、カメラ、ゲーム機、またはその他類似の機能デバイスを含んでいる。ＵＥ２０２はまた、当業者によって、移動局、加入者局、モバイル・ユニット、加入者ユニット、無線ユニット、遠隔ユニット、モバイル・デバイス、無線デバイス、無線通信デバイス、遠隔デバイス、モバイル加入者局、アクセス端末、モバイル端末、無線端末、遠隔端末、ハンドセット、ユーザ・エージェント、モバイル・クライアント、クライアント、またはその他いくつかの適切な用語で称されうる。
【００１９】
ｅＮＢ２０６は、Ｓ１インタフェースによってＥＰＣ２１０に接続される。ＥＰＣ２１０は、モビリティ管理エンティティ（ＭＭＥ）２１２、その他のＭＭＥ２１４、サービス提供ゲートウェイ２１６、およびパケット・データ・ネットワーク（ＰＤＮ）ゲートウェイ２１８を含んでいる。ＭＭＥ２１２は、ＵＥ２０２とＥＰＣ２１０との間のシグナリングを処理する制御ノードである。一般に、ＭＭＥ２１２はベアラおよび接続管理を提供する。すべてのユーザＩＰパケットは、ＰＤＮゲートウェイ２１８に接続されているサービス提供ゲートウェイ２１６を介して転送される。ＰＤＮゲートウェイ２１８は、ＵＥ  ＩＰアドレス割当のみならず、その他の機能も提供する。ＰＤＮゲートウェイ２１８は、オペレータのＩＰサービス２２２に接続される。オペレータのＩＰサービス２２２は、インターネット、イントラネット、ＩＰマルチメディア・サブシステム（ＩＭＳ）、およびＰＳストリーミング・サービス（ＰＳＳ）を含んでいる。
【００２０】
図３は、ＬＴＥネットワーク・アーキテクチャにおけるアクセス・ネットワークの例を例示する図である。この例では、アクセス・ネットワーク３００は、多くのセルラ領域（セル）３０２に分割される。１または複数の低電力クラスのｅＮＢ３０８，３１２は、これらセル３０２のうちの１または複数とそれぞれオーバラップするセルラ領域３１０，３１４をそれぞれ有しうる。低電力クラスのｅＮＢ３０８，３１２は、フェムト・セル（例えば、ホームｅＮＢ（ＨｅＮＢ））、ピコ・セル、またはマイクロ・セルでありうる。高電力クラスまたはマクロｅＮＢ３０４は、セル３０２に割り当てられ、セル３０２内のすべてのＵＥ３０６のためにＥＰＣ２１０へアクセス・ポイントを提供するように構成されている。アクセス・ネットワーク３００のこの例では、中央コントローラは存在しないが、別の構成では、中央コントローラが使用されうる。ｅＮＢ３０４は、ラジオ・ベアラ制御、許可制御、モビリティ制御、スケジューリング、セキュリティ、および、（図２に示す）サービス提供ゲートウェイ２１６への接続を含むすべてのラジオ関連機能を担当する。
【００２１】
アクセス・ネットワーク３００によって適用される変調および多元接続スキームは、展開されている特定の通信規格に依存して変わりうる。ＬＴＥアプリケーションでは、周波数分割デュプレクス（ＦＤＤ）と時分割デュプレクス（ＴＤＤ）との両方をサポートするために、ＤＬでＯＦＤＭが使用され、ＵＬでＳＣ−ＦＤＭＡが使用される。当業者であれば、後述する詳細記載から容易に認識されるように、本明細書で示されたさまざまな概念が、ＬＴＥアプリケーションにも同様に適合することを認識するであろう。しかしながら、これらの概念は、その他の変調技術および多元接続技術を適用するその他の通信規格へ容易に拡張されうる。例によれば、これらの概念は、イボリューション・データ・オプティマイズド（ＥＶ−ＤＯ）またはウルトラ・モバイル・ブロードバンド（ＵＭＢ）へ拡張されうる。ＥＶ−ＤＯおよびＵＭＢは、ＣＤＭＡ２０００規格ファミリの一部として第３世代パートナシップ計画２（３ＧＰＰ２）によって公布されたエア・インタフェース規格であり、移動局へのブロードバンド・インターネット・アクセスを提供するためにＣＤＭＡを適用する。これらの概念は、例えばＴＤ−ＳＣＤＭＡのように、広帯域ＣＤＭＡ（Ｗ−ＣＤＭＡ）およびＣＤＭＡのその他の派生を適用するユニバーサル地上ラジオ・アクセス（ＵＴＲＡ）、ＴＤＭＡを適用するグローバル移動体通信（ＧＳＭ（登録商標））、ＯＦＤＭＡを適用するイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、およびフラッシュＯＦＤＭ、ＵＴＲＡ、Ｅ−ＵＴＲＡ、ＵＭＴＳ、ＬＴＥ、およびＧＳＭは、３ＧＰＰ団体からの文書に記載されている。ＣＤＭＡ２０００およびＵＭＢは、３ＧＰＰ２団体からの文書に記載されている。適用されている実際の無線通信規格および多元接続技術は、特定のアプリケーションと、システムに課せられている全体的な設計制約とに依存するであろう。
【００２２】
ｅＮＢ３０４は、ＭＩＭＯ技術をサポートする複数のアンテナを有しうる。ＭＩＭＯ技術を使用することにより、ｅＮＢ３０４は、空間多重化、ビームフォーミング、および送信ダイバーシティをサポートするために空間領域を活用できるようになる。
【００２３】
空間多重化は、同じ周波数で、異なるデータ・ストリームを同時に送信するために使用されうる。データ・ストリームは、データ・レートを高めるために単一のＵＥ３０６へ、全体的なシステム容量を高めるために複数のＵＥ３０６へ、送信されうる。これは、各データ・ストリームを空間的にプリコードし（すなわち、振幅およびフェーズのスケーリングを適用し）、空間的にプリコードされた各ストリームを、ダウンリンクで、複数の送信アンテナを介して送信することによって達成される。この空間的にプリコードされたデータ・ストリームは、異なる空間シグニチャを持つＵＥ（単数または複数）３０６に到着する。これによって、ＵＥ（単数または複数）３０６のおのおのは、ＵＥ３０６のために指定された１または複数のデータ・ストリームを復元できるようになる。アップリンクでは、おのおののＵＥ３０６が、空間的にプリコードされたデータ・ストリームを送信する。これによって、ｅＮＢ３０４は、空間的にプリコードされた各データ・ストリームのソースを識別できるようになる。
【００２４】
チャネル条件が良好な場合、空間多重化が一般に使用される。チャネル条件がさほど好ましくない場合、送信エネルギを１または複数の方向に集中させるためにビームフォーミングが使用されうる。これは、複数のアンテナを介した送信のために、データを空間的にプリコードすることによって達成されうる。セルの端部において良好な有効通信範囲を達成するために、単一ストリーム・ビームフォーミング送信が、送信ダイバーシティと組み合わされて使用されうる。
【００２５】
以下に続く詳細説明では、アクセス・ネットワークのさまざまな態様が、ダウンリンクでＯＦＤＭをサポートするＭＩＭＯシステムに関して記述されるだろう。
【００２６】
ＯＦＤＭは、ＯＦＤＭシンボル内の多くのサブキャリアにおいてデータを変調するスペクトル拡散技術である。サブキャリアは、正確な周波数で隔離されている。この間隔は、受信機が、サブキャリアからデータを復元することを可能にする「直交性」を提供する。時間領域では、ＯＦＤＭ間シンボル干渉と格闘するために、各ＯＦＤＭシンボルにガード間隔（例えば、サイクリック・プレフィクス）が追加されうる。アップリンクは、高いピーク対平均電力比（ＰＡＲＲ）を補償するために、ＤＦＴ拡散ＯＦＤＭ信号の形態でＳＣ−ＦＤＭＡを使用しうる。
【００２７】
ＤＬ送信とＵＬ送信とをサポートするために、さまざまなフレーム構造が使用されうる。ＤＬフレーム構造の例が、図４を参照して示される。しかしながら、当業者が容易に認識するように、どの特定のアプリケーションのフレーム構造も、任意の数の要因に依存して異なりうる。この例では、フレーム（１０ミリ秒）が、等しいサイズの１０のサブフレームに分割される。おのおののサブフレームは、２つの連続する時間スロットを含む。
【００２８】
おのおのがリソース・ブロックを含む２つの時間スロットを表すために、リソース・グリッドが使用されうる。リソース・グリッドは、複数のリソース要素に分割される。ＬＴＥでは、リソース・ブロックは、おのおののＯＦＤＭシンボルにおける通常のサイクリック・プレフィクスについて、周波数領域において１２の連続するサブキャリアを、時間領域において７つの連続するＯＦＤＭシンボルを、すなわち、８４のリソース要素を含んでいる。Ｒ４０２，４０４として示されるような、リソース要素のいくつかは、ＤＬ基準信号（ＤＬ−ＲＳ）を含んでいる。ＤＬ−ＲＳは、セル特有ＲＳ（ＣＲＳ）（しばしば共通ＲＳとも称される）４０２およびＵＥ特有ＲＳ（ＵＥ−ＲＳ）４０４を含んでいる。ＵＥ−ＲＳ４０４は、対応する物理ダウンリンク共有チャネル（ＰＤＳＣＨ）がマップされるリソース・ブロックにおいてのみ送信される。各リソース要素によって伝送されるビット数は、変調スキームに依存する。したがって、ＵＥが受信するリソース・ブロックが増え、変調スキームが高くなると、ＵＥのためのデータ・レートが高くなる。
【００２９】
ＵＬフレーム構造５００の例が、図５を参照して示される。図５は、ＬＴＥにおけるＵＬのための典型的なフォーマットを示す。ＵＬのために利用可能なリソース・ブロックは、データ・セクションおよび制御セクションに分割されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図５における設計の結果、データ・セクションは、連続するサブキャリアを含むようになる。これによって、単一のＵＥに、データ・セクションにおいて連続するサブキャリアのすべてが割り当てられるようになる。
【００３０】
ＵＥは、ｅＮＢへ制御情報を送信するために、制御セクションにおいてリソース・ブロック５１０ａ、５１０ｂを割り当てられうる。ＵＥはまた、ｅＮＢへデータを送信するために、データ・セクションにおいてリソース・ブロック５２０ａ，５２０ｂを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。ＵＬ送信は、サブフレームからなる両スロットにおよび、図５に示すように、周波数を越えてホップしうる。
【００３１】
図５に示すように、物理ランダム・アクセス・チャネル（ＰＲＡＣＨ）５３０における初期システム・アクセスの実行と、ＵＬ同期の達成とのために、リソース・ブロックのセットが使用されうる。ＰＲＡＣＨ５３０は、ランダム・シーケンスを伝送するが、どのＵＬデータ／シグナリングも伝送することができない。ランダム・アクセス・プリアンブルはおのおの、６つの連続するリソース・ブロックに対応する帯域幅を占有する。開始周波数は、ネットワークによって指定される。すなわち、ランダム・アクセス・プリアンブルの送信は、ある時間リソースおよび周波数リソースに制限される。ＰＲＡＣＨのための周波数ホッピングは無い。ＰＲＡＣＨ試行は、単一のサブフレーム（１ミリ秒）で伝送され、ＵＥは、フレーム（１０ミリ秒）毎に１回のＰＲＡＣＨ試行しか行わない。
【００３２】
ＬＴＥにおけるＰＵＣＣＨ、ＰＵＳＣＨ、およびＰＲＡＣＨは、公的に利用可能である「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００３３】
ラジオ・プロトコル・アーキテクチャは、特定のアプリケーションに依存してさまざまな形態をとりうる。ＬＴＥシステムに関する例が、図６を参照して示される。図６は、ユーザ・プレーンおよび制御プレーンのためのラジオ・プロトコル・アーキテクチャの例を例示する概念図である。
【００３４】
図６に移って、ＵＥおよびｅＮＢのためのラジオ・プロトコル・アーキテクチャが、３つのレイヤ、すなわち、レイヤ１、レイヤ２、およびレイヤ３を用いて図示される。レイヤ１は、最下部レイヤであり、さまざまな物理レイヤ信号処理機能を実施する。レイヤ１は、本明細書では物理レイヤ６０６と称されるだろう。レイヤ２（Ｌ２レイヤ）６０８は、物理レイヤ６０６上にあり、物理レイヤ６０６を介したＵＥとｅＮＢとの間のリンクを担当する。
【００３５】
ユーザ・プレーンでは、Ｌ２レイヤ６０８は、媒体アクセス制御（ＭＡＣ）サブレイヤ６１０と、ラジオ・リンク制御（ＲＬＣ）サブレイヤ６１２と、パケット・データ収束プロトコル（ＰＤＣＰ）サブレイヤ６１４とを含む。これらは、ネットワーク側におけるｅＮＢにおいて終了する。図示されていないが、ＵＥは、ネットワーク側におけるＰＤＮゲートウェイ２１８（図２参照）で終了するネットワーク・レイヤ（例えば、ＩＰレイヤ）を含む、Ｌ２レイヤ６０８上のいくつかの上部レイヤと、（例えば、遠くのエンドＵＥ、サーバ等のような）接続の他端において終了するアプリケーション・レイヤとを有しうる。
【００３６】
ＰＤＣＰサブレイヤ６１４は、異なるラジオ・ベアラと論理チャネルとの間の多重化を提供する。ＰＤＣＰサブレイヤ６１４はまた、ラジオ送信オーバヘッドを低減するための上部レイヤ・データ・パケットのヘッダ圧縮、データ・パケットを暗号化することによるセキュリティ、および、ｅＮＢ間のＵＥのためのハンドオーバ・サポートを提供する。ＲＬＣサブレイヤ６１２は、上部レイヤ・データ・パケットのセグメント化および再アセンブリ、喪失したデータ・パケットの再送信、および、ハイブリッド自動反復要求（ＨＡＲＱ）による順不同な受信を補償するためのデータ・パケットの並べ替えを提供する。ＭＡＣサブレイヤ６１０は、論理チャネルと伝送チャネルとの間の多重化を提供する。ＭＡＣサブレイヤ６１０はまた、１つのセル内のさまざまなラジオ・リソース（例えば、リソース・ブロック）を、ＵＥ間に割り当てることをも担当する。ＭＡＣサブレイヤ６１０はまた、ＨＡＲＱ動作をも担当する。
【００３７】
制御プレーンでは、ＵＥおよびｅＮＢのためのラジオ・プロトコル・アーキテクチャは、制御プレーンのためのヘッダ圧縮機能が無いことを除いて、物理レイヤ６０６およびＬ２レイヤ６０８について実質的に同じである。制御プレーンはまた、レイヤ３にラジオ・リソース制御（ＲＲＣ）サブレイヤ６１６を含んでいる。ＲＲＣサブレイヤ６１６は、ラジオ・リソース（すなわち、ラジオ・ベアラ）を取得することと、ＲＲＣシグナリングを用いてｅＮＢとＵＥとの間に下部レイヤを設定することと、を担当する。
【００３８】
図７は、アクセス・ネットワークにおいてＵＥ７５０と通信しているｅＮＢ７１０のブロック図である。ＤＬでは、コア・ネットワークからの上部レイヤ・パケットが、コントローラ／プロセッサ７７５へ提供される。コントローラ／プロセッサ７７５は、図６に関して以前に記述されたＬ２レイヤの機能を実現する。ＤＬでは、コントローラ／プロセッサ７７５は、さまざまな優先度判定基準に基づいて、ヘッダ圧縮、暗号化、パケット・セグメント化および並べ替え、論理チャネルと伝送チャネルとの間の多重化、および、ＵＥ７５０へのラジオ・リソース割当を提供する。さらに、コントローラ／プロセッサ７７５はまた、ＨＡＲＱ動作、喪失パケットの再送信、およびＵＥ７５０へのシグナリングを担当する。
【００３９】
ＴＸプロセッサ７１６は、Ｌ１レイヤ（すなわち、物理レイヤ）のためのさまざまな信号処理機能を実施する。この信号処理機能は、ＵＥ７５０におけるフォワード誤り訂正（ＦＥＣ）を容易にするための符号化およびインタリービング、および、さまざまな変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ））に基づく信号コンステレーションへのマッピング、を含む。符号化および変調されたシンボルは、その後、並行なストリームへ分割される。おのおののストリームはその後、ＯＦＤＭサブキャリアへマップされ、時間領域および／または周波数領域において基準信号（例えば、パイロット）とともに多重化され、その後、逆高速フーリエ変換（ＩＦＦＴ）を用いてともに結合されることにより、時間領域ＯＦＤＭシンボル・ストリームを伝送する物理チャネルが生成される。このＯＦＤＭストリームは、空間的にプリコードされ、複数の空間ストリームが生成される。チャネル推定器７７４からのチャネル推定値が、空間処理のみならず、符号化および変調スキームを決定するためにも使用されうる。チャネル推定値は、ＵＥ７５０によって送信されたチャネル状態フィードバックおよび／または基準信号から導出されうる。おのおのの空間ストリームはその後、個別の送信機７１８ＴＸを介して異なるアンテナ７２０へ提供される。おのおのの送信機７１８ＴＸは、送信のために、それぞれの空間ストリームを用いてＲＦキャリアを変調する。
【００４０】
ＵＥ７５０では、おのおのの受信機７５４ＲＸが、それぞれのアンテナ７５２を介して信号を受信する。おのおのの受信機７５４ＲＸは、ＲＦキャリアへ変調された情報を復元し、この情報を、受信機（ＲＸ）プロセッサ７５６へ提供する。
【００４１】
ＲＸプロセッサ７５６は、Ｌ１レイヤのさまざまな信号処理機能を実施する。ＲＸプロセッサ７５６は、この情報に対して空間処理を実行し、ＵＥ７５０に向けられた空間ストリームを復元する。複数の空間ストリームが、ＵＥ７５０に向けられている場合、これらは、ＲＸデータ・プロセッサ７５６によって、単一のＯＦＤＭシンボル・ストリームへ結合されうる。ＲＸプロセッサ７５６は、その後、高速フーリエ変換（ＦＦＴ）を用いて、ＯＦＤＭシンボル・ストリームを、時間領域から周波数領域へ変換する。周波数領域信号は、ＯＦＤＭ信号のおのおののサブキャリアの個別のＯＦＤＭシンボル・ストリームを備える。おのおののサブキャリアにおけるシンボル、および基準信号は、ｅＮＢ７１０によって送信された最も可能性の高いコンステレーション・ポイントを判定することによって復元および復調される。これら軟判定は、チャネル推定器７５８によって計算されたチャネル推定値に基づきうる。これら軟判定はその後、復号およびデインタリーブされ、物理チャネル上でｅＮＢ７１０によって送信されたオリジナルのデータおよび制御信号が復元される。データおよび制御信号はその後、コントローラ／プロセッサ７５９へ提供される。
【００４２】
コントローラ／プロセッサ７５９は、図６に関して以前に記述されたＬ２レイヤの機能を実現する。ＵＬでは、制御／プロセッサ７５９は、コア・ネットワークからの上部レイヤ・パケットを復元するために、伝送チャネルと論理チャネルとの間の逆多重化、パケット再アセンブリ、解読、ヘッダ伸張、制御信号処理を提供する。Ｌ２レイヤ上のすべてのプロトコル・レイヤを表す上部レイヤ・パケットは、その後、データ・シンク７６２へ提供される。Ｌ３処理のためにも、データ・シンク７６２へさまざまな制御信号が提供されうる。コントローラ／プロセッサ７５９はまた、ＨＡＲＱ動作をサポートするためにアクノレッジメント（ＡＣＫ）および／または否定的アクノレッジメント（ＮＡＣＫ）プロトコルを用いて、誤り検出を担当する。
【００４３】
ＵＬでは、コントローラ／プロセッサ７５９へ上部レイヤ・パケットを提供するために、データ・ソース７６７が使用される。データ・ソース７６７は、Ｌ２レイヤ（Ｌ２）上のすべてのプロトコル・レイヤを表す。ｅノードＢ７１０によるＤＬ送信に関して記載された機能と同様に、コントローラ／プロセッサ７５９は、ヘッダ圧縮、暗号化、パケット・セグメント化および並べ替え、および、ｅＮＢ７１０によるラジオ・リソース割当に基づく論理チャネルと伝送チャネルとの間の多重化を提供することによって、ユーザ・プレーンおよび制御プレーンのためのＬ２レイヤを実現する。さらに、コントローラ／プロセッサ７５９はまた、ＨＡＲＱ動作、喪失パケットの再送信、およびｅＮＢ７１０へのシグナリングを担当する。
【００４４】
ｅＮＢ７１０によって送信されたフィードバックまたは基準信号から、チャネル推定器７５８によって導出されたチャネル推定値が、適切な符号化スキームおよび変調スキームを選択するために、および、空間処理を容易にするために、ＴＸプロセッサ７６８によって使用されうる。ＴＸプロセッサ７６８によって生成された空間ストリームは、個別の送信機７５４ＴＸを介して異なるアンテナ７５２に提供される。おのおのの送信機７５４ＴＸは、送信のために、それぞれの空間ストリームを用いてＲＦキャリアを変調する。
【００４５】
ＵＬ送信は、ＵＥ７５０における受信機機能に関して記載されたものと類似した方式で、ｅＮＢ７１０において処理される。おのおのの受信機７１８ＲＸは、それぞれのアンテナ７２０を介して信号を受信する。おのおのの受信機７１８ＲＸは、ＲＦキャリアへ変調された情報を復元し、この情報を、ＲＸプロセッサ７７０へ提供する。ＲＸプロセッサ７７０は、Ｌ１レイヤを実現する。
【００４６】
コントローラ／プロセッサ７５９は、図６に関して以前に記述されたＬ２レイヤの機能を実施する。ＵＬでは、制御／プロセッサ７５９は、ＵＥ７５０からの上部レイヤ・パケットを復元するために、伝送チャネルと論理チャネルとの間の逆多重化、パケット再アセンブリ、解読、ヘッダ伸張、制御信号処理を提供する。コントローラ／プロセッサ７７５からの上部レイヤ・パケットは、コア・ネットワークへ提供されうる。コントローラ／プロセッサ７５９はまた、ＨＡＲＱ動作をサポートするためにＡＣＫおよび／またはＮＡＣＫプロトコルを用いて、誤り検出を担当する。
【００４７】
図１に関連して記載された処理システム１１４は、ｅＮＢ  ７１０を含んでいる。特に、この処理システム１１４は、ＴＸプロセッサ７１６、ＲＸプロセッサ７７０、および、コントローラ／プロセッサ７７５を含む。処理システム１１４はさらに、ｅＮＢ７１０が接続されるＲＲＨを含みうる。図１に関連して記載された処理システム１１４は、ＵＥ７５０を含む。特に、この処理システム１１４は、ＴＸプロセッサ７６８、ＲＸプロセッサ７５６、および、コントローラ／プロセッサ７５９を含む。
【００４８】
図８は、本開示のある態様にしたがって、マクロ・ノードと多くの遠隔ラジオ・ヘッド（ＲＲＨ）を有するネットワーク８００を例示する。マクロ・ノード８０２は一般に、光ファイバを用いてＲＲＨ８０４，８０６，８０８，８１０に接続されている。ある態様では、ネットワーク８００は、ホモジニアスなネットワークまたはヘテロジニアスなネットワークであり、ＲＲＨ８０４−８１０は、低電力ＲＲＨまたは高電力ＲＲＨでありうる。態様では、マクロ・ノード８０２は、それ自身およびＲＲＨのために、セル内のすべてのスケジューリングを取り扱う。ＲＲＨは、マクロ・ノード８０２と同じセル識別子（ＩＤ）で、または、異なるセルＩＤで設定されうる。ＲＲＨが同じセルＩＤで設定されている場合、マクロ・ノード８０２およびＲＲＨは、マクロ・ノード８０２によって制御されている実質的に１つのセルとして動作しうる。一方、ＲＲＨおよびマクロ・ノード８０２が、異なるセルＩＤで設定されている場合、すべての制御およびスケジューリングがマクロ・ノード８０２とともに残っていても、マクロ・ノード８０２およびＲＲＨは、ＵＥに対して別のセルとして見えうる。
【００４９】
ある態様では、ヘテロジニアスな設定が、ＲＲＨ／ノードからのデータ送信を受信しているアドバンストＵＥ（例えば、ＬＴＥ  Ｒｅｌ−１０またはそれより上位のＵＥ）のために最良のパフォーマンス利得を示しうる。設定間の大きな相違は、一般に、レガシー・インパクトの制御シグナリングおよび取り扱いに関連する。態様では、ＲＲＨのおのおのは、１または複数のＣＳＩ−ＲＳポートで送信するために割り当てられうる。一般に、マクロ・ノードおよびＲＲＨは、ＣＳＩ−ＲＳポートのサブセットを割り当てられうる。例えば、８つの利用可能なＣＳＩ−ＲＳポートがある場合、ＲＲＨ８０４が、ＣＳＩ−ＲＳポート０，１で送信するために割り当てられ、ＲＲＨ８０６が、ＣＳＩ−ＲＳポート２，３で送信するために割り当てられ、ＲＲＨ８０８が、ＣＳＩ−ＲＳポート４，５で送信するために割り当てられ、ＲＲＨ８１０が、ＣＳＩ−ＲＳポート６，７で送信するために割り当てられうる。マクロ・ノードおよび／またはＲＲＨは、同じＣＳＩ−ＲＳポートを割り当てられうる。例えば、ＲＲＨ８０４およびＲＲＨ８０８が、ＣＳＩ−ＲＳポート０，１，２，３で送信するために割り当てられ、ＲＲＨ８０６およびＲＲＨ８１０が、ＣＳＩ−ＲＳポート４，５，６，７で送信するために割り当てられうる。そのような構成では、ＲＲＨ８０４，８０８からのＣＳＩ−ＲＳがオーバラップし、ＲＲＨ８０６，８１０からのＣＳＩ−ＲＳがオーバラップしうる。
【００５０】
ＣＳＩ−ＲＳは、一般に、ＵＥ特有である。ＵＥはそれぞれ、最大でも、予め定められた数のＣＳＩ−ＲＳポート（例えば、８つのＣＳＩ−ＲＳポート）で構成され、ＲＲＨ８０４−８１０のうちの１または複数からＣＳＩ−ＲＳポートで、ＣＳＩ−ＲＳを受信しうる。例えば、ＵＥ８２０は、ＲＲＨ８０４からＣＳＩ−ＲＳポート０，１でＣＳＩ−ＲＳを、ＲＲＨ８０６からＣＳＩ−ＲＳポート２，３でＣＳＩ−ＲＳを、ＲＲＨ８０８からＣＳＩ−ＲＳポート４，５でＣＳＩ−ＲＳを、ＲＲＨ８１０からＣＳＩ−ＲＳポート６，７でＣＳＩ−ＲＳを受信しうる。ＵＥ８２０は、同じＲＲＨから異なるポートでＣＳＩ−ＲＳを受信しうるので、このような構成は一般にＵＥ８２０に特有である。例えば、ＵＥ８２２はまた、８つのＣＳＩ−ＲＳポートで構成され、ＲＲＨ８０８からＣＳＩ−ＲＳポート０，１でＣＳＩ−ＲＳを、ＲＲＨ８１０からＣＳＩ−ＲＳポート２，３でＣＳＩ−ＲＳを、ＲＲＨ８０４からＣＳＩ−ＲＳポート４，５でＣＳＩ−ＲＳを、ＲＲＨ８０６からＣＳＩ−ＲＳポート６，７でＣＳＩ−ＲＳを受信しうる。一般に、任意の特定のＵＥについて、ＣＳＩ−ＲＳポートが複数のＲＲＨに分散され、特定のＵＥは、任意の数のＣＳＩ−ＲＳポートで構成され、これらＣＳＩ−ＲＳポートで特定のＵＥへ送信するように構成されたＲＲＨから、これらＣＳＩ−ＲＳポートでＣＳＩ−ＲＳを受信する。
【００５１】
ある態様では、ＲＲＨのおのおのが、マクロ・ノード８０２と、同じセルＩＤを共有している場合、マクロ・ノードから、またはマクロ・ノードとすべてのＲＲＨとの両方から、ＣＲＳを用いて制御情報が送信されうる。ＣＲＳは、一般に、同じリソース要素を用いて、送信／受信ポイント（すなわち、マクロ・ノード、ＲＲＨ）（送信／受信ポイントは、本明細書では“ＴｘＰ”と称される）のおのおのから送信される。したがって、これら信号は、互いの先頭にある。ある態様では、送信／受信ポイント（“ＴｘＰ”）という用語は、一般に、少なくとも１つの中央エンティティ（例えば、ｅノードＢ）によって制御されている同じまたは異なるセルＩＤを有しうる地理的に分離された送信／受信ノードを表している。ＴｘＰのおのおのが同じセルＩＤを有する場合、ＴｘＰのおのおのから送信されたＣＲＳは、区別されないことがありうる。ある態様では、ＲＲＨが異なるセルＩＤを有している場合、同じリソース要素を用いてＴｘＰのおのおのから送信されたＣＲＳが衝突しうる。態様では、ＲＲＨが異なるセルＩＤを有し、ＣＲＳが衝突する場合、ＴｘＰのおのおのから送信されたＣＲＳは、干渉除去技術およびアドバンスト受信機処理によって区別されうる。
【００５２】
ある態様では、ＣＲＳが複数のＴｘＰから送信された場合、送信元のマクロ・ノード／ＲＲＨにおいて、等しくない数の物理アンテナが存在しているのであれば、適切なアンテナ仮想化が必要とされる。すなわち、ＣＲＳは、各マクロ・ノードおよびＲＲＨにおいて、等しい数の（仮想）送信アンテナから送信されうる。例えば、ノード８０２およびＲＲＨ８０４，８０６，８０８がおのおの、２つの物理アンテナを有し、ＲＲＨ８１０が４つの物理アンテナを有しているのであれば、ＲＲＨ８１０の最初の２つのアンテナが、ＣＲＳポート０を送信するように構成され、ＲＲＨ８１０の次の２つのアンテナが、ＣＲＳポート１を送信するように構成されうる。アンテナ・ポートの数は、物理アンテナの数に関して増加されることも、減少されることもありうる。
【００５３】
前述したように、マクロ・ノード８０２およびＲＲＨ８０４−８１０はすべてＣＲＳを送信しうる。しかしながら、もしもマクロ・ノード８０２しかＣＲＳを送信しないのであれば、自動利得制御（ＡＧＣ）問題により、ＲＲＨの近傍で、不具合が生じうる。一般には、同じ／異なるセルＩＤ設定間の相違は主に、制御問題およびレガシー問題と、ＣＲＳに依存するその他の潜在的な動作に関連している。セルＩＤは異なるが衝突するＣＲＳ構成を有するシナリオは、定義により衝突するＣＲＳを有する同じセルＩＤ設定との類似性を有しうる。セルＩＤは異なるが衝突するＣＲＳを有するシナリオは、一般に、セルＩＤに依存するシステム特性／構成要素（例えば、スクランブリング・シーケンス等）がより容易に区別されうる同じセルＩＤのケースと比較して利点を有する。
【００５４】
前述したように、ＵＥは、ＣＳＩ−ＲＳとともにデータ送信を受信し、ＣＳＩフィードバックを提供しうる。問題は、ＣＳＩ−ＲＳのおのおのの経路喪失が等しいと仮定して既存のコードブックが設計されており、これによって、この条件が満たされない場合には、あるパフォーマンス損失を被りうるということである。複数のＲＲＨがＣＳＩ−ＲＳとともにデータを送信しうるので、ＣＳＩ−ＲＳのおのおのに関連付けられた経路喪失は異なりうる。そのため、ＴｘＰへの適切な経路喪失を考慮するＴｘＰ間ＣＳＩフィードバックを可能にするために、コードブックを改良する必要がありうる。アンテナ・ポートをグループ化すること、および、グループ毎にフィードバックを提供することにより、複数のＣＳＩフィードバックが提供されうる。
【００５５】
同じセルＩＤまたは異なるセルＩＤを有するマクロ／ＲＲＨ設定に対して、一般的な構成が適用可能である。異なるセルＩＤの場合、ＣＲＳはオーバラップするように構成されうる。これは、同じセルＩＤの場合と類似のシナリオに至りうる（しかし、セルＩＤに依存するシステム特性（例えば、スクラブリング・シーケンス等）が、ＵＥによってより容易に区別されうるという利点を有する）。
【００５６】
ある態様では、典型的なマクロ／ＲＲＨエンティティは、マクロ／ＲＲＨ設定の有効通信範囲内の制御／データ送信の分離に備えうる。セルＩＤが各ＴｘＰに対して同じである場合、ＰＤＳＣＨがＴｘＰのサブセットからＣＳＩ−ＲＳおよびＤＭ−ＲＳとともに送信されうる一方、ＰＤＣＣＨは、マクロ・ノード８０２から、あるいはマクロ・ノード８０２とＲＲＨとの両方から、ＣＲＳとともに送信されうる。セルＩＤがＴｘＰのうちのいくつかについて異なる場合、ＰＤＣＣＨは、各セルＩＤグループにおいて、ＣＲＳとともに送信されうる。各セルＩＤグループから送信されたＣＲＳは、衝突することも、しないこともありうる。ＵＥは、同じセルＩＤを持つ複数のＴｘＰから送信されたＣＲＳを区別しない場合がありうるが、（例えば、干渉除去技術または類似の技術を用いて）異なるセルＩＤを有する複数のＴｘＰから送信されたＣＲＳを区別しうる。制御／データ送信を分離することによって、すべてのＴｘＰからのＣＲＳ送信に基づいて制御を送信しながら、データ送信のための少なくとも１つのＴｘＰにＵＥを「関連付ける」ＵＥ透過手法が可能となる。これによって、制御チャネルを共通にしたまま、異なるＴｘＰにわたるデータ送信のためのセル分離が可能となる。前述した「関連付け」という用語は、データ送信のため、特有のＵＥのアンテナ・ポートを設定することを意味する。これは、ハンドオーバのコンテキストで実行されるであろう関連付けとは異なる。制御は、前述したように、ＣＲＳに基づいて送信されうる。制御とデータを分離することによって、ハンドオーバ処理を介してなされねばならないことに比べて、ＵＥのデータ送信のために使用されるアンテナ・ポートのより高速な再設定が可能となりうる。ある態様では、ＵＥのアンテナ・ポートを、異なるＴｘＰの物理アンテナに対応するように設定することによって、ＴｘＰ間のフィードバックが可能となりうる。
【００５７】
ある態様では、ＵＥ特有基準信号が、（例えば、ＬＴＥ−Ａ、Ｒｅｌ−１０、および前述したコンテキストおける）この動作を可能にする。ＣＳＩ−ＲＳおよびＤＭ−ＲＳは、ＬＴＥ−Ａコンテキストにおいて使用される基準信号である。干渉推定が、ＣＳＩ−ＲＳミュートに基づいて実行されうる。ＰＤＣＣＨ容量が制限されうるので、共通の制御では、制御容量問題が生じうる。制御容量は、ＦＤＭ制御チャネルを使用することにより拡大されうる。ＰＤＣＣＨ制御チャネルを補足、増大、または交換するために、中継ＰＤＣＣＨ（Ｒ−ＰＤＣＣＨ）またはその拡張が使用されうる。ＵＥは、ＰＭＩ／ＲＩ／ＣＱＩを提供するために、そのＣＳＩ−ＲＳ構成に基づいて、ＣＳＩフィードバックを提供しうる。コードブック設計は、アンテナが地理的に分離されておらず、もって、アンテナ・アレイからＵＥへ同じ経路喪失が存在すると仮定しうる。アンテナは、相関付けられておらず、異なるチャネルを見ているので、複数のＲＲＨには、これは当てはまらない。コードブック改良は、より効率的なＴｘＰ間ＣＳＩフィードバックを可能にしうる。ＣＳＩ推定は、異なるＴｘＰに関連付けられたアンテナ・ポート間の経路喪失の違いを捉えうる。さらに、アンテナ・ポートをグループ化すること、および、グループ毎にフィードバックを提供することにより、複数のＣＳＩフィードバックが提供されうる。
【００５８】
（分散された遠隔ラジオ・ヘッドを用いた、無線ネットワークにおける移動手続）  
図９は、本開示のある態様にしたがって、遠隔ラジオ・ヘッド（ＲＲＨ）が論理セル内の異なる位置に分散されている２つの論理セルを例示する。前述するように、ＲＲＨは、例えば、光ファイバ・ケーブルによってマクロ・セル（例えば、ｅＮＢ０およびｅＮＢ１）に接続されうる。ＲＲＨは、マクロ・セルの有効通信範囲を拡大するために使用されうる。マクロ・セルとＲＲＨとの間には無視できるレイテンシしかない。
【００５９】
図１０は、本開示のある態様にしたがって、１または複数のＣＲＳアンテナ・ポートで送信しているＲＲＨを例示する。１つの論理セル内に構成されているＣＲＳポートの数は、物理ブロードキャスト・チャネル（ＰＢＣＨ）のための巡回冗長検査（ＣＲＣ）マスクによって伝送される。ＣＲＳアンテナ・ポートの定義に依存して、論理セル内のＲＲＨは、対応するリソース要素（ＲＥ）によってＣＲＳを送信する場合も、しない場合もありうる。いくつかの実施形態の場合、すべてのＲＲＨがＣＲＳの一部またはすべてを送信しうる。ＣＲＳは、単一の周波数ネットワークにおいて機能しうる。図１０に例示されるように、異なるＣＲＳポートに対して、異なる電力クラス・ノード（例えば、マクロ、フェムト、ピコ、およびＲＲＨ）が割り当てられうる。ｅＮＢ０における送信アンテナは、ＣＲＳポート０，１を定義するために利用され、ＲＲＨにおける送信アンテナは、ＣＲＳポート２，３を定義するためにともに利用されうる。
【００６０】
図１１は、本開示のある態様にしたがって、マクロｅＮＢにおいて、送信アンテナにおいて形成されたすべてのＣＲＳアンテナ・ポートを例示する。図１１に例示されているように、ある実施形態の場合、マクロ・セルのみがＣＲＳを送信するので、ＲＲＨは、ＣＲＳを送信しない場合がありうる。言い換えれば、ＣＲＳアンテナ・ポート０，１，２，３は、ｅＮＢ０のみにおいて送信アンテナで形成されうる。しかしながら、ＲＲＨは、（前述したように）チャネル状態情報基準信号（ＣＳＩ−ＲＳ）アンテナ・ポートをサポートするが、レガシー・ダウンリンク（ＤＬ）送信には参加しない場合がありうる。
【００６１】
ＣＳＩ−ＲＳのパラメータは、セル特有であり、例えば、高位レイヤ・シグナリングによって設定されうる。これらパラメータは、一般に、ＣＳＩフィードバック（Ｐｃ）のための基準物理ダウンリンク共有チャネル（ＰＤＳＣＨ）送信電力に関する、ＣＳＩ−ＲＳポートの数（例えば、１，２，４または８）、ＣＲＳ−ＲＳパターン構成、ＣＳＩ−ＲＳサブフレーム構成、およびユーザ機器（ＵＥ）仮定を含みうる。Ｐｃは、ＵＥが、ＣＳＩフィードバックを導出し、１ｄＢステップ・サイズで［−８，１５］ｄＢの範囲にある値をとる場合、ＰＤＳＣＨのリソース要素毎のエネルギ（ＥＰＲＥ：energy per resource element）の、ＣＳＩ−ＲＳ  ＥＰＲＥに対する仮定された比率である。ＰＤＳＣＨミュートの設定もまたセル特有であり、例えば、各ビットが１つの４ポートＣＳＩ−ＲＳ構成に対応する１６ビットのビットマップのような高位レイヤ・シグナリングによって設定されうる。ある実施形態の場合、ＰＤＳＣＨミュートは、ＣＳＩ−ＲＳ無しでセル内で設定されうる。高位レイヤ・シグナリングは、異なるＵＥに、異なるＣＳＩ−ＲＳ構成およびＰＤＳＣＨミュート設定をシグナルしうる。なぜなら、これらパラメータは、個別にＵＥにシグナルされうるからである。
【００６２】
図１２は、本開示の態様にしたがうＲＲＨのためのＣＳＩ−ＲＳ構成の例を例示する。ＲＲＨおよびマクロｅＮＢ（ｅＮＢ０）における送信アンテナは、異なる状況下において、異なるＵＥのために異なる数のＣＳＩ−ＲＳアンテナ・ポートを規定および定義するために利用されうる。例えば、Ａに位置し、ＲＲＨ０によってサービス提供されるＵＥのために、ＣＳＩ−ＲＳポートＸで送信するためにＲＲＨ０が割り当てられうる。Ｂに位置するＵＥのために、ＣＳＩ−ＲＳポートＹで送信するためにＲＲＨ１が割り当てられうる。Ｃに位置するＵＥは、ＲＲＨ０とＲＲＨ１との両方によってサービス提供されるので、Ｃに位置するＵＥのために、ＣＳＩ−ＲＳポートＸおよびＹで送信するためにＲＲＨ０およびＲＲＨ１が割り当てられ、Ｄに位置するＵＥのために、ＣＳＩ−ＲＳポートＺで送信するためにｅＮＢ０が割り当てられうる。本明細書においてさらに記載されるように、Ｅに位置するＲｅｌ−１１  ＵＥは、すべての送信アンテナによってサービス提供されうる。
【００６３】
図１３は、本開示のある態様にしたがって、セル１３０２内および複数のセル１３０２，１３０４間のＵＥ１３０６の移動の例を例示する。ＵＥが従う移動手続は、ＵＥのリリース（例えば、Ｒｅｌ−８／９，Ｒｅｌ−１０、またはＲｅｌ−１１およびそれ以降）に基づいて変わりうる。
【００６４】
図１４は、本開示のある態様にしたがって、複数のＲＲＨを有する無線ネットワークにおける移動手続をサポートするための動作１４００の例を例示する。動作１４００は、例えばマクロｅＮＢによって実行されうる。
【００６５】
１４０２では、マクロｅＮＢが、ＵＥからＣＳＩフィードバック（例えば、ＣＱＩフィードバック）を受信しうる。１４０４では、ＣＳＩフィードバックに基づいて、マクロｅＮＢが、ＲＳ（例えば、ＣＲＳおよびＣＳＩ−ＲＳ）を送信するために１または複数のアンテナ・ポートを選択しうる。１または複数のアンテナ・ポートは、少なくとも、マクロｅＮＢのアンテナ・ポート、または、マクロｅＮＢの制御下におけるＲＲＨのアンテナ・ポートである。
【００６６】
１４０６では、マクロｅＮＢが、ＵＥの移動または位置の変化に少なくとも部分的に基づいて、１または複数のアンテナ・ポートの選択を更新すべきか否かを判定しうる。ある態様の場合、１または複数のアンテナ・ポートの選択を更新するか否かの判定は、ＲＲＨおよびマクロｅＮＢの１または複数に対するＵＥの接近度に基づいてなされる。ある態様の場合、ＵＥの位置が、ＵＥから送信されたサウンディング基準信号（ＳＲＳ）に基づいて決定されうる。１または複数のアンテナ・ポートの選択を更新するか否かの判定は、ＣＳＩフィードバック、または、異なるＲＲＨにおいて受信されたＳＲＳの品質に少なくとも部分的に基づいてなされうる。ある態様の場合、ＵＥの位置は、ＵＥの全地球測位システム（ＧＰＳ）座標に基づいて決定されうる。ある態様の場合、１または複数のアンテナ・ポートの選択を更新すべきか否かの判定は、送信されたＲＳから受信された測定値に基づいてなされうる。
【００６７】
Ｒｅｌ−８／９  ＵＥは、一般に、測定（例えば、ＲＳＲＰ）、およびデータと制御の復号を実行することを含むタスクを実行するために、ＣＲＳに依存しうる。ＣＲＳの観点から、同じ論理セル内にＲＲＨを導入することは、Ｒｅｌ−８／９  ＵＥに対して違いをもたらさないかもしれない。言い換えれば、Ｒｅｌ−８／９  ＵＥは、従来の移動手続に従いうる。
【００６８】
マクロ・セル有効通信範囲内のＲｅｌ−１０  ＵＥのための移動手続は、一般に、より高位のレイヤ再設定を含む。ｅＮＢ側では、ラジオ・リソース制御（ＲＲＣ）再設定が、多くの手法でトリガされうる。例えば、再設定は、ＵＥからアップリンクで送信されたサウンディングＲＳ（ＳＲＳ）を用いて推定されうるＵＥの位置によってトリガされうる。また、ＵＥは時々、ＧＰＳ座標をレポートしうる。別の例として、ｅＮＢは、異なるＲＲＨにおいて、ＳＲＳの品質情報を受信しうる。ＴＤＤでは、ＤＬ／ＵＬチャネルが相互関係にあり、再設定は、ＳＲＳを用いたＵＬチャネル推定値によってトリガされうる。ある実施形態の場合、再設定は、ＵＥからのチャネル品質インジケータ（ＣＱＩ）フィードバックによってトリガされうる。ある実施形態の場合、ＵＥは、設定されたＣＳＩ−ＲＳを用いた測定に基づいて、ＵＬで再設定要求を送信しうる。
【００６９】
ＲＲＣ再設定は一般に、ＣＳＩ−ＲＳアンテナ・ポートの数と、対応する構成とを設定することを含む。例えば、図１２に戻って示すように、ＵＥがＡ→Ｂ→Ｃに沿って移動する場合、ＲＲＣは、Ｘ個、Ｘ＋Ｙ個、およびＹ個のＣＳＩ−ＲＳポートをそれぞれ見るようにＵＥを再設定しうる。ＣＳＩ−ＲＳポートの再設定は、前述した手続のうちの何れかによってトリガされうる。例えば、ＵＥが位置Ａから位置Ｃへ移動した場合、ＵＥは、アップリンクでＳＲＳを送信し、ＲＲＣ再設定をトリガする。
【００７０】
図１３に戻って示すように、ＵＥ１３０６がマクロ・セル１３０２の有効通信範囲外に移動した場合、マクロ・セル１３０２の有効通信範囲外のＲｅｌ−１０  ＵＥの移動手続は一般に、ＵＥ１３０６がＣＲＳに基づいて測定を実行することを含む。（例えば、マクロ・セル１３０２とマクロ・セル１３０４との間のような）セル間ハンドオーバは、この測定に基づきうる。ある態様の場合、この手続は、ネットワーク制御されたハンドオーバを含みうる。
【００７１】
マクロ・セル有効通信範囲内のＲｅｌ−１１およびそれ以降のＵＥのための移動手続は、Ｒｅｌ−１０  ＵＥに関して前述したような高位レイヤ再設定を含みうる。ある態様の場合、再設定は、以下にさらに記載されるように、多くのＣＳＩ−ＲＳアンテナ・ポートで構成されたＲｅｌ−１１  ＵＥのためには必要とされない場合がありうる。
【００７２】
図１５は、本開示のある態様にしたがって、多くのＣＳＩ−ＲＳアンテナ・ポートを用いて構成されたＵＥである、論理セル１５００内のＲｅｌ−１１（あるいはそれ以降の）ＵＥの移動の例を例示する。ＣＳＩ−ＲＳアンテナ・ポートは、例えば、論理セル１５００内のすべてのＲＲＨからのすべての送信アンテナを含む、分散方式で定義されうる。マクロ・セル有効通信範囲内での移動は、対応するＣＳＩフィードバックにしたがって無理なくサポートされうる。
【００７３】
Ｒｅｌ−１１におけるコードブック１５０１は、分散されたＣＳＩ−ＲＳポートを考慮することにより最適化されうる。例えば、コードブック１５０１は、各ＣＳＩ−ＲＳポート１５−２２に関連付けられたＣＳＩフィードバックを示す入力を有しうる。例示されるように、ＣＳＩ−ＲＳポート１５で送信するためにＲＲＨ０が割り当てられ、ＣＳＩ−ＲＳポート１６で送信するためにＲＲＨ１が割り当てられ、ＣＳＩ−ＲＳポート１８で送信するためにＲＲＨ２が割り当てられ、ＣＳＩ−ＲＳポート１７で送信するためにＲＲＨ３が割り当てられ、ＣＳＩ−ＲＳポート１９−２２で送信するためにｅＮＢ０が割り当てられうる。
【００７４】
ＵＥが、ｅＮＢまたはＲＲＨの１または複数の有効通信範囲内にある場合、コードブック１５０１は、送信を受信するために、適切なＲＲＨ（またはｅＮＢ）を示しうる。例えば、ＵＥが位置Ａ（すなわち、ＲＲＨ０の有効通信範囲内）に存在する場合、ＣＳＩ−ＲＳポート１５に関連付けられたＣＳＩフィードバックは、コードブック１５０１１によって示されるように、残りのＣＳＩ−ＲＳポートに関連付けられたＣＳＩフィードバック（例えば、０または０．１）に比べて強く（たとえば、１）なりうる。したがって、ｅＮＢ０は、ＵＥへ送信するために、ＣＳＩ−ＲＳポート１５を利用しうる。なぜなら、ＲＲＨ０は、ＣＳＩ−ＲＳポート１５に割り当てられているからである。
【００７５】
別の例として、ＵＥが位置Ｃ（すなわち、ＲＲＨ０およびＲＲＨ１の有効通信範囲内）に存在する場合、ＣＳＩ−ＲＳポート１５，１６に関連付けられたＣＳＩフィードバックは、コードブック１５０１２によって示されるように、残りのＣＳＩ−ＲＳポートに関連付けられたＣＳＩフィードバック（例えば、０または０．１）に比べて強く（たとえば、１）なりうる。したがって、ｅＮＢ０は、ＵＥへ送信するために、ＣＳＩ−ＲＳポート１５，１６を利用しうる。なぜなら、ＲＲＨ０は、ＣＳＩ−ＲＳポート１５に割り当てられ、ＲＲＨ１は、ＣＳＩ−ＲＳポート１６に割り当てられているからである。
【００７６】
別の例として、ＵＥが位置Ｄ（すなわち、ｅＮＢ０の有効通信範囲内）に存在する場合、ＣＳＩ−ＲＳポート１９−２２に関連付けられたＣＳＩフィードバックは、コードブック１５０１３によって示されるように、残りのＣＳＩ−ＲＳポートに関連付けられたＣＳＩフィードバック（例えば、０）に比べて強く（たとえば、１）なりうる。したがって、ｅＮＢ０は、ＵＥへ送信するために、ＣＳＩ−ＲＳポート１９−２２を利用しうる。なぜなら、ＣＳＩ−ＲＳポート１９−２２はｅＮＢ０に割り当てられているからである。したがって、論理セル内のＲＲＨに割り当てられたＣＳＩ−ＲＳアンテナ・ポートで構成されたＵＥのために、より高位のレイヤ設定は必要とされない場合がありうる。
【００７７】
図１３に戻って示すように、ＵＥ１３０６がマクロ・セル１３０２の有効通信範囲外に移動した場合、マクロ・セル１３０２の有効通信範囲外のＲｅｌ−１１  ＵＥのための移動手続は一般に、ＵＥ１３０６が、ＣＲＳに基づいて測定を実行することを含む。（例えば、マクロ・セル１３０２とマクロ・セル１３０４との間のような）セル間ハンドオーバは、この測定に基づきうる。ある態様の場合、この手続は、ネットワーク制御されたハンドオーバを含みうる。
【００７８】
前述された動作１４００は、任意の適切な構成要素、または、図１４における対応する機能を実行することが可能なその他の手段によって実行されうる。例えば、図１４に例示された動作１４００は、図１４Ａに例示された構成要素１４００Ａに対応する。図１４Ａでは、マクロｅＮＢのトランシーバ（ＴＸ／ＲＸ）１４０１Ａが、１または複数の受信アンテナにおいて信号を受信しうる。ＴＸ／ＲＸ１４０１Ａの受信ユニット１４０２Ａは、ＵＥからＣＳＩフィードバックを受信しうる。選択ユニット１４０４Ａは、ＣＳＩフィードバックに基づいて、ＲＳを送信するため、１または複数のアンテナ・ポートを選択しうる。１または複数のアンテナ・ポートは、少なくとも、マクロｅＮＢのアンテナ・ポート、または、マクロｅＮＢの制御下にあるＲＲＨのアンテナ・ポートである。判定ユニット１４０６Ａは、ＵＥの移動または位置の変化に少なくとも部分的に基づいて、１または複数のアンテナ・ポートの選択を更新するか否かを判定しうる。
【００７９】
１つの構成では、図１および図７に示すように、無線通信のための装置１００が、さまざまな方法を実行するための手段を含んでいる。前述された手段は、前述された手段によって詳述された機能を実行するように構成された処理システム１１４である。前述したように、処理システム１１４は、ＴＸプロセッサ７１６、ＲＸプロセッサ７７０、およびコントローラ／プロセッサ７７５を含みうる。そのため、１つの構成では、前述された手段は、前述された手段によって記述された機能を実行するように構成されたＴＸプロセッサ７１６、ＲＸプロセッサ７７０、およびコントローラ／プロセッサ７７５でありうる。
【００８０】
１つの構成では、無線通信のための装置１００は、さまざまな方法を実行するための手段を含んでいる。前述された手段は、前述された手段によって詳述された機能を実行するように構成された処理システム１１４である。前述したように、処理システム１１４は、ＴＸプロセッサ７６８、ＲＸプロセッサ７５６、およびコントローラ／プロセッサ７５９を含みうる。そのため、１つの構成では、前述された手段は、前述された手段によって記述された機能を実行するように構成されたＴＸプロセッサ７６８、ＲＸプロセッサ７５６、およびコントローラ／プロセッサ７５９でありうる。
【００８１】
開示された処理のステップの具体的な順序または階層は、典型的なアプローチの例示であることが理解される。設計選択に基づいて、これら処理におけるステップの具体的な順序または階層は、再構成されうることが理解される。同伴する方法請求項は、さまざまなステップの要素を、サンプル順で示しており、示された具体的な順序または階層に限定されないことが意味される。
【００８２】
前述された記載は、いかなる当業者であっても、ここで開示されたさまざまな態様を実現できるように提供される。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と首尾一貫したすべての範囲が与えられることが意図されており、ここで、単数形による要素への参照は、もしも明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、参照によって本明細書に明確に組み込まれており、請求項に含められていると意図される。さらに、本明細書で開示されたいずれも、このような開示が請求項において明示的に述べられているかに関わらず、公衆に対して放棄されたものとは意図されていない。これら請求項要素が、「〜する手段」という文言を用いて明確に記載されていないのであれば、あるいは、方法請求項の場合に、「〜するステップ」という文言を用いて記載されていないのであれば、いずれの請求項要素も、３５Ｕ．Ｓ．Ｃ第１１２条第６パラグラフの下で解釈されるべきではない。
以下に、出願当初の特許請求の範囲に記載された発明を付記する。
［Ｃ１］
無線通信のための方法であって、
ユーザ機器（ＵＥ）からチャネル状態情報（ＣＳＩ）フィードバックを受信することと、
前記ＣＳＩフィードバックに基づいて、基準信号（ＲＳ）を送信するための１または複数のアンテナ・ポートを選択することと、ここで、前記１または複数のアンテナ・ポートは少なくとも、基地局（ＢＳ）のアンテナ・ポート、または、前記ＢＳの制御下の遠隔ラジオ・ヘッド（ＲＲＨ：remote radio head）のアンテナ・ポートである、
前記ＵＥの移動または位置の変化に少なくとも部分的に基づいて、前記１または複数のアンテナ・ポートの選択を更新すべきか否かを判定すること、を備える方法。
［Ｃ２］
前記１または複数のアンテナ・ポートの選択を更新すべきか否か判定することは、前記ＲＲＨおよび前記ＢＳの１または複数に対する前記ＵＥの接近度に基づいてなされる、Ｃ１に記載の方法。
［Ｃ３］
前記ＵＥの位置は、前記ＵＥから送信されたサウンディング基準信号（ＳＲＳ）に基づいて決定される、Ｃ１に記載の方法。
［Ｃ４］
前記１または複数のアンテナ・ポートの選択を更新すべきか否か判定することは、異なるＲＲＨにおいて受信されたＳＲＳの品質またはＣＳＩフィードバックに少なくとも部分的に基づいてなされる、Ｃ３に記載の方法。
［Ｃ５］
前記ＵＥの位置は、前記ＵＥの全地球測位システム（ＧＰＳ）座標に基づいて決定される、Ｃ１に記載の方法。
［Ｃ６］
前記１または複数のアンテナ・ポートの選択を更新すべきか否か判定することは、前記送信されたＲＳから受信された測定値に基づいてなされる、Ｃ１に記載の方法。
［Ｃ７］
前記ＣＳＩフィードバックは、チャネル品質インジケータ（ＣＱＩ）フィードバックを備える、Ｃ１に記載の方法。
［Ｃ８］
前記ＲＳは、少なくとも、セル特有ＲＳ（ＣＲＳ）またはＣＳＩ−ＲＳである、Ｃ１に記載の方法。
［Ｃ９］
無線通信のための装置であって、
ユーザ機器（ＵＥ）からチャネル状態情報（ＣＳＩ）フィードバックを受信するためのロジックと、
前記ＣＳＩフィードバックに基づいて、基準信号（ＲＳ）を送信するための１または複数のアンテナ・ポートを選択するためのロジックと、ここで、前記１または複数のアンテナ・ポートは少なくとも、基地局（ＢＳ）のアンテナ・ポート、または、前記ＢＳの制御下の遠隔ラジオ・ヘッド（ＲＲＨ）のアンテナ・ポートである、
前記ＵＥの移動または位置の変化に少なくとも部分的に基づいて、前記１または複数のアンテナ・ポートの選択を更新すべきか否かを判定するためのロジックと、を備える装置。
［Ｃ１０］
前記１または複数のアンテナ・ポートの選択を更新すべきか否かを判定するためのロジックは、前記ＲＲＨおよび前記ＢＳの１または複数に対する前記ＵＥの接近度に基づいてなされる、Ｃ９に記載の装置。
［Ｃ１１］
前記ＵＥの位置は、前記ＵＥから送信されたサウンディング基準信号（ＳＲＳ）に基づいて決定される、Ｃ９に記載の装置。
［Ｃ１２］
前記１または複数のアンテナ・ポートの選択を更新すべきか否かを判定するためのロジックは、異なるＲＲＨにおいて受信されたＳＲＳの品質またはＣＳＩフィードバックに少なくとも部分的に基づいてなされる、Ｃ１１に記載の装置。
［Ｃ１３］
前記ＵＥの位置は、前記ＵＥの全地球測位システム（ＧＰＳ）座標に基づいて決定される、Ｃ９に記載の装置。
［Ｃ１４］
前記１または複数のアンテナ・ポートの選択を更新すべきか否かを判定するためのロジックは、前記送信されたＲＳから受信された測定値に基づいてなされる、Ｃ９に記載の装置。
［Ｃ１５］
前記ＣＳＩフィードバックは、チャネル品質インジケータ（ＣＱＩ）フィードバックを備える、Ｃ９に記載の装置。
［Ｃ１６］
前記ＲＳは、少なくとも、セル特有ＲＳ（ＣＲＳ）またはＣＳＩ−ＲＳである、Ｃ９に記載の装置。
［Ｃ１７］
無線通信のための装置であって、
ユーザ機器（ＵＥ）からチャネル状態情報（ＣＳＩ）フィードバックを受信する手段と、
前記ＣＳＩフィードバックに基づいて、基準信号（ＲＳ）を送信するための１または複数のアンテナ・ポートを選択する手段と、ここで、前記１または複数のアンテナ・ポートは少なくとも、基地局（ＢＳ）のアンテナ・ポート、または、前記ＢＳの制御下の遠隔ラジオ・ヘッド（ＲＲＨ）のアンテナ・ポートである、
前記ＵＥの移動または位置の変化に少なくとも部分的に基づいて、前記１または複数のアンテナ・ポートの選択を更新すべきか否かを判定する手段と、を備える装置。
［Ｃ１８］
前記１または複数のアンテナ・ポートの選択を更新すべきか否かを判定する手段は、前記ＲＲＨおよび前記ＢＳの１または複数に対する前記ＵＥの接近度に基づいてなされる、Ｃ１７に記載の装置。
［Ｃ１９］
前記ＵＥの位置は、前記ＵＥから送信されたサウンディング基準信号（ＳＲＳ）に基づいて決定される、Ｃ１７に記載の装置。
［Ｃ２０］
前記１または複数のアンテナ・ポートの選択を更新すべきか否かを判定する手段は、異なるＲＲＨにおいて受信されたＳＲＳの品質またはＣＳＩフィードバックに少なくとも部分的に基づいてなされる、Ｃ１９に記載の装置。
［Ｃ２１］
前記ＵＥの位置は、前記ＵＥの全地球測位システム（ＧＰＳ）座標に基づいて決定される、Ｃ１７に記載の装置。
［Ｃ２２］
前記１または複数のアンテナ・ポートの選択を更新すべきか否かを判定する手段は、前記送信されたＲＳから受信された測定値に基づいてなされる、Ｃ１７に記載の装置。
［Ｃ２３］
前記ＣＳＩフィードバックは、チャネル品質インジケータ（ＣＱＩ）フィードバックを備える、Ｃ１７に記載の装置。
［Ｃ２４］
前記ＲＳは、少なくとも、セル特有ＲＳ（ＣＲＳ）またはＣＳＩ−ＲＳである、Ｃ１７に記載の装置。
［Ｃ２５］
無線通信のためのコンピュータ・プログラム製品であって、
格納された命令群を有するコンピュータ読取可能な媒体を備え、
前記命令群は、１または複数のプロセッサによって実行可能であり、前記命令群は、
ユーザ機器（ＵＥ）からチャネル状態情報（ＣＳＩ）フィードバックを受信するための命令群と、
前記ＣＳＩフィードバックに基づいて、基準信号（ＲＳ）を送信するための１または複数のアンテナ・ポートを選択するための命令群と、ここで、前記１または複数のアンテナ・ポートは少なくとも、基地局（ＢＳ）のアンテナ・ポート、または、前記ＢＳの制御下の遠隔ラジオ・ヘッド（ＲＲＨ）のアンテナ・ポートである、
前記ＵＥの移動または位置の変化に少なくとも部分的に基づいて、前記１または複数のアンテナ・ポートの選択を更新すべきか否かを判定するための命令群とを備える、コンピュータ・プログラム製品。
［Ｃ２６］
前記１または複数のアンテナ・ポートの選択を更新すべきか否かを判定するための命令群は、前記ＲＲＨおよび前記ＢＳの１または複数に対する前記ＵＥの接近度に基づいてなされる、Ｃ２５に記載のコンピュータ・プログラム製品。
［Ｃ２７］
前記ＵＥの位置は、前記ＵＥから送信されたサウンディング基準信号（ＳＲＳ）に基づいて決定される、Ｃ２５に記載のコンピュータ・プログラム製品。
［Ｃ２８］
前記１または複数のアンテナ・ポートの選択を更新すべきか否かを判定するための命令群は、異なるＲＲＨにおいて受信されたＳＲＳの品質またはＣＳＩフィードバックに少なくとも部分的に基づいてなされる、Ｃ２７に記載のコンピュータ・プログラム製品。
［Ｃ２９］
前記ＵＥの位置は、前記ＵＥの全地球測位システム（ＧＰＳ）座標に基づいて決定される、Ｃ２５に記載のコンピュータ・プログラム製品。
［Ｃ３０］
前記１または複数のアンテナ・ポートの選択を更新すべきか否かを判定するための命令群は、前記送信されたＲＳから受信された測定値に基づいてなされる、Ｃ２５に記載のコンピュータ・プログラム製品。
［Ｃ３１］
前記ＣＳＩフィードバックは、チャネル品質インジケータ（ＣＱＩ）フィードバックを備える、Ｃ２５に記載のコンピュータ・プログラム製品。
［Ｃ３２］
前記ＲＳは、少なくとも、セル特有ＲＳ（ＣＲＳ）またはＣＳＩ−ＲＳである、Ｃ２５に記載のコンピュータ・プログラム製品。
【図１】
0005934260.tif 000002
【図２】
0005934260.tif 000003
【図３】
0005934260.tif 000004
【図４】
0005934260.tif 000005
【図５】
0005934260.tif 000006
【図６】
0005934260.tif 000007
【図７】
0005934260.tif 000008
【図８】
0005934260.tif 000009
【図９】
0005934260.tif 000010
【図１０】
0005934260.tif 000011
【図１１】
0005934260.tif 000012
【図１２】
0005934260.tif 000013
【図１３】
0005934260.tif 000014
【図１４】
0005934260.tif 000015
【図１４Ａ】
0005934260.tif 000016
【図１５】
0005934260.tif 000017